(57)【特許請求の範囲】
【請求項１】
所定動作の実行を指示する複数の操作手段と、
前記操作手段の全部について、その操作を無効とするホールド設定操作を行なうことができるホールド操作手段と、
前記ホールド操作手段によるホールド設定がなされていない場合において、前記操作手段の操作に基づいて所定の動作制御を行なうとともに、前記操作手段に基づく動作停止状態において前記ホールド操作手段によるホールド設定操作がなされたときに、電源をオフとする制御を行なう制御手段と、
を備えて構成されることを特徴とする電子機器。
【請求項２】
前記制御手段は、電源オフ状態で、かつホールド設定がなされていない場合において、前記操作手段の全部又は一部については、操作がなされたら、電源をオンとするとともにその操作手段に応じた所定の動作制御を行なうことを特徴とする請求項１に記載の電子機器。
【請求項３】
上記電子機器は、更に乾電池又は充電池をからなる電源部と、スイッチとを備え、上記前記操作手段に基づく動作停止状態において前記ホールド操作手段によるホールド設定操作がなされたときに上記制御手段からの電源制御信号によって上記スイッチが開いて電源がオフとなる請求項第１項の記載の電子機器。
【発明の詳細な説明】
【０００１】
【産業上の利用分野】
本発明は所定のキー操作についてその操作を無効とするホールド設定を行なうことができる電子機器に関し、特に携帯用のテーププレーヤ、ディスクプレーヤなどの機器として好適なものである。
【０００２】
【従来の技術】
特に、携帯用のテーププレーヤやディスクプレーヤなどの機器においては、携帯時などに誤って操作キーが押されてしまってユーザーが望んでいない動作が実行されることがないように、ホールド設定を行なうことができるものが知られている。
例えば再生動作中にホールド設定を行なうと、その間停止キーや早送りキーなどが押されてもこれらは無効とされ、再生動作が継続され、つまり誤動作は発生しない。また電源オフ時にホールド設定しておけば誤って電源をオンとする操作がなされても電源はオンとならず、これにより無駄な電力消費は避けられる。
【０００３】
ところで、電子機器においては通常、動作電源をオン／オフする操作キーが設けられているが、携帯用の電子機器では操作キーの数を削減して小型化、低コスト化を促進したいという事情があり、また例えば再生動作を行なうときに電源をオンとしてから再生操作をするという二重の操作が必要となることを避けるため、例えば再生キーなどを電源キーと兼用するようにし、専用の電源キーを設けないようにすることも考えられている。
つまり、テーププレーヤなどにおいて電源オフ時に再生キーを押せば、電源がオンとなるとともに再生動作が実行され、従ってユーザーはワンタッチ操作で再生音声を聞くことができるようになる。
【０００４】
【発明が解決しようとする課題】
しかしながら、専用の電源キーを設けないようにすると、電源をオフとする操作に不都合が生じるという問題がある。即ち、電源キーを設けない場合は、ユーザーが電源オフ操作をすることができず、このため電源をオフとするには、例えば動作停止時間を計測しておき、所定時間以上動作がなされなければ自動的に電源をオフとするいわゆるオートパワーオフという方式が考えられるが、ユーザーの断続的な操作に対応するため、オートパワーオフを実行するまでの動作停止期間としてはむやみに短い時間に設定することは適当ではない。このため、例えば２分又は３分〜１０分程度をオートパワーオフ実行までのカウント期間として設定している。
そして、この電源オンのままのオートパワーオフ実行までのカウント期間は即ち無駄な電力消費をしていることになり、特に電池駆動の機器においては電池寿命に大きな影響を与えることになってしまう。
【０００５】
【課題を解決するための手段】
本発明はこのような問題点に鑑みて、専用の電源操作手段を設けない場合でもユーザー操作により電源オフとすることを可能とし、無駄な電力消費を解消できるようにすることを目的とする。
【０００６】
このため電子機器として、所定動作の実行を指示する複数の操作手段と、前記操作手段の全部について、その操作を無効とするホールド設定操作を行なうことができるホールド操作手段と、前記ホールド操作手段によるホールド設定がなされていない場合において、前記操作手段の操作に基づいて所定の動作制御を行なうとともに、前記操作手段に基づく動作停止状態において前記ホールド操作手段によるホールド設定操作がなされたときに、電源をオフとする制御を行なう制御手段とを設けるようにする。
【０００７】
また、制御手段は、電源オフ状態で、かつホールド設定がなされていない場合においては、操作手段の全部又は一部については、操作がなされたら、電源をオンとするとともにその操作手段に応じた所定の動作制御を行なうようにする。
また、電子機器は、更に乾電池又は充電池をからなる電源部と、スイッチとを備え、前記操作手段に基づく動作停止状態においてホールド操作手段によるホールド設定操作がなされたときに制御手段からの電源制御信号によってスイッチが開いて電源がオフとなるようにする。
【０００８】
【作用】
動作停止中にはホールド設定を行なうことは特に意味がない。つまり電源オン状態で停止状態にあるときにホールドしておいても、電力節約にもつながらず利点はない（電力節約のためには、誤った電源動作で電源オンとならないように電源オフ状態でホールド設定しておかなければならず、また動作が行われないように誤操作を防止するためには電源オフ状態でホールドしておけばよいため、停止状態では誤操作を防止するという利点は殆ど生じない）。このため、動作停止中にはホールド操作を電源オフ操作として機能させても問題はない。
【０００９】
そして、専用の電源操作手段を設けずに所定の操作キーに電源オン操作機能を与える機器であれば、停止中のホールド操作で電源オフとすることを可能とすれば、機器の小型化、低コスト化、及び動作実行までのワンタッチ操作を実現するとともに無駄な電力消費を解消することができる。
【００１０】
【実施例】
以下、図１、図２により本発明の電子機器の実施例を説明する。この実施例の電子機器は携帯型のカセットテーププレーヤとして説明していく。
図１は実施例の要部を示すブロック図であり、１は乾電池又は充電池による電源部、２はＤＣ−ＤＣコンバータである。ＤＣ−ＤＣコンバータ２におけるスイッチ２ａの開閉により機器としての電源オン／オフがなされる。そしてスイッチ２ａが閉じられた電源オン状態にあるときは、電源部１からの直流電圧がコンバータブロック２ｂに供給され、各回路部に必要な電源電圧として例えばＥ，＋Ｅ1 ，−Ｅ1 ，＋Ｅ2 などの電源電圧が生成され、出力される。
なお、全ての回路部における動作電源として１系統でよい場合（例えば電源部１の出力電圧Ｅのみでよい場合）は、電源部１の電源電圧出力をオン／オフするスイッチ２ａが設けられるのみでよい。例えばアナログスイッチを設ければよい。
【００１１】
３は回路ブロック、４はメカデッキ部であり、ＤＣ−ＤＣコンバータ２からの電源供給により動作する。即ちメカデッキ部４では磁気テープの走行動作を行ない、また回路ブロック３では磁気ヘッドからの音声信号のイコライジング、増幅等を行なって音声信号を出力し、また入力された音声信号を磁気ヘッドから磁気テープに記録していく。４ａはメカデッキ部４におけるモータであり、キャプスタンやリールを駆動するモータがこれに相当する。
【００１２】
５はマイクロコンピュータ等によって形成されるコントローラであり、ユーザーの操作及び処理プログラムに応じて回路ブロック３やメカデッキ部４の動作制御を行なう。また、スイッチ２ａに対してはコントローラ５からの電源制御信号ＳP が供給され、スイッチ２ａのオン／オフ、即ち電源オン／オフ制御がなされる。５ａはクロック発振器を示す。
【００１３】
６は再生キー、７はＦＦ（早送り）キー、８はＲＥＷ（早戻し）キー、９は停止キーを示し、装填されたカセットテープに対してユーザーが操作を行なうためのキーである。即ち、再生キー６が押されることによりコントローラ５はメカデッキ部４に対してテープ再生走行制御を行ない、また回路ブロック３に再生信号処理を実行させる。なお、この再生キー６は一時停止キーも兼ねており、再生中に再生キー６が押された場合はコントローラ５は一時停止動作を実行させる。
また、ＦＦキー７が押されたら早送り動作を実行させ、ＲＥＷキー８が押されたら早戻し動作を実行させる。さらに、再生／早送り／早戻しの動作中において停止キー９が押されたら、それらの動作を停止させることになる。
【００１４】
また、再生キー６、ＦＦキー７、ＲＥＷキー８は電源オンキーとしての機能も備えており、電源オフ状態においてこれらのキーが押されたら、コントローラ５はスイッチ２ａをオンとして電源オンとすると伴に、操作されたキーに応じて再生又は早送り又は早戻し動作を実行させることになる。
なお、図示していないがこのコントローラ５に対しては電源オフ時でもスタンバイ電源として微小な電力供給がなされており、これにより電源オフ時にもキー操作の検出及び電源オン制御が実行できるようにされている。
【００１５】
１０は例えばスライドスイッチによるホールドキーを示し、実線がホールドオン、破線がホールドオフの操作位置となる。
ホールドオン、即ちホールド設定がなされると、コントローラ５はその時点から操作キー６〜９の操作は無効とし、従ってホールド設定がされている間は操作キー６〜９の操作に関わらずホールド設定時の動作状態が継続される。例えば再生中にユーザーがホールド設定を行なうと、停止キー９が押されてもコントローラ５は停止制御を行なわず、再生動作が継続されることになる。これにより、携帯して音楽を聞いている場合などで不用意に操作キーに触れたり物が操作キーに当たったりなどして操作キーが押されてしまっても、音楽が停止されたり突然早送りされたりするというユーザーが望まない動作がなされてしまうことが防止される。
【００１６】
そしてこのようなホールド状態での再生時に停止等の操作を行なう場合は、一旦ホールドキー１０を操作してホールド設定を解除してから操作キー６〜９の操作を行なうことになる。
【００１７】
また、電源オフ時にホールド設定しておけば、同様に不用意に操作キー６〜８が押されても、これは無効とされて電源はオンとならない。これにより、ユーザーが知らない間に電源が入ってしまって無駄な電力消費が行なわれることも防止される。
【００１８】
本実施例では上述のように操作キー６〜８が電源オンキーとして兼用されるとともに、ホールドキー１０を電源オフキーとして兼用し、専用の電源キーを設けなくともユーザーが任意に電源オン／オフ操作できるものである。
このための、操作キー６〜９及びホールドキー１０の操作に基づくコントローラ５の処理は例えば図２に示すようになる。
【００１９】
コントローラ５は電源オン／オフに関わらず、常にホールドキー１０，再生キー６，ＦＦキー７，ＲＥＷキー８，停止キー９の操作を監視している(F102,F103,F104,F105,F106)。
そして、再生キー６が押された場合(F103)は、もしそのとき電源オフ状態であれば、まず電源制御信号ＳP によりスイッチ２ａを閉じて電源オンとする(F107,F108) 。電源オンであった場合はもちろんこの処理は不要となる。
そしてその再生キー６の操作が再生中になされたか否かを判別し(F109)、再生中でなければ再生動作制御を行なう(F110)。また再生中であったなら、一時停止制御を行なうことになる(F111)。
【００２０】
ＦＦキー７が押された場合(F104)は、もしそのとき電源オフ状態であれば、まず電源制御信号ＳP によりスイッチ２ａを閉じて電源オンとする(F112,F113) 。電源オンであった場合はこの処理は不要である。
そしてステップF114では早送り動作制御を行なうことになる。
【００２１】
またＲＥＷキー８が押された場合(F105)も同様に、もしそのとき電源オフ状態であれば、まず電源制御信号ＳP によりスイッチ２ａを閉じて電源オンとし(F115,F116) 、ステップF117で早戻し動作制御を行なうことになる。
【００２２】
停止キー９が押された場合(F106)には、まず再生／早送り／早戻しの動作が行なわれているか否かを判別し(F118)、これらの動作中であればその動作を停止させる制御を行なう(F119)。
【００２３】
また、ホールドキー１０がオンの位置に操作されてホールド設定されている際には、処理はステップF102,F103,F104,F105,F106には進まず、従ってその間の再生キー６，ＦＦキー７，ＲＥＷキー８，停止キー９の操作は全て無効とされることになる。
【００２４】
そして、ホールドキー１０がオンである場合は、ステップF102からF120に進み、停止中であるか否かが判別される。停止中でなければ処理はリターンとなる。つまり、停止時以外の動作時又は電源オフ時ではホールドキー１０がオンとされることで操作がホールドされ、誤動作や無駄な電力消費が解消される。
【００２５】
ステップF120で肯定結果がでるのは、動作停止状態にあるときにユーザーがホールドキー１０をオンに操作した場合である。
この場合は、コントローラ５は電源制御信号ＳP によりスイッチ２ａを開いて電源オフとすることになる(F121)。
つまり、停止状態にあるときにはホールドキー１０が電源オフキーとして機能することになる。
【００２６】
このようにホールドキー１０が電源オフキーとして機能することにより、専用の電源操作キーを設けなくとも、ユーザーは再生等の動作を終了させた後電源オフ操作を行なうことができ、従って無駄な電力消費を避けることができる。
【００２７】
なお、停止状態にあるときにはその時間がタイマー計測されており、ステップF101においてタイマー計測時間と設定された所定時間（例えば５分）を比較している。そして停止状態のまま所定時間経過したら、ステップF122に進んでコントローラ５はスイッチ２ａを制御して電源オフとする。即ち、オートパワーオフ動作が行なわれるようにしている。
本実施例においてこのようなオートパワーオフ制御を行なうことで、もしユーザーが電源オフとすることを忘れてしまっても、所定時間後に電源オフとされ、無駄な電力消費は最小限に抑えられることになる。
【００２８】
以上のように本実施例において、ホールドキーがオフのときは、専用の電源操作キーを設けないことで機器の小型化、低コスト化を実現できるとともに、再生キー６等を電源オンキーに兼ねるようにし、例えば１回の再生キー６の操作で電源オン及び再生動作が実行されるようにすることで、電源オフ状態から再生実行までをワンタッチ操作とすることができる。
【００２９】
そしてさらに停止時においてホールドキー１０をオンとすることで電源オフ操作を行なうことができ、つまりオートパワーオフ動作の実行までのカウント期間を待つことなく電源オフとすることができるため、消費電力の節約につながり、特に充電池や乾電池を電源として用いる携帯用機器では実質上の電池の長寿命化を実現できることになる。
【００３０】
なお、本発明の電子機器は実施例のようにテーププレーヤとするほか、ＣＤプレーヤ、ミニディスクプレーヤなどの再生機器、さらにテープ、ディスクに対応するレコーダ機器、映像再生機器、映像記録機器など、広く適用できるものである。
また、電源オンキーとして兼用される操作キーの設定や、操作に対応する処理方式は上記実施例以外にも各種考えられることはいうまでもない。
【００３１】
【発明の効果】
以上説明したように本発明の電子機器は、専用の電源操作キーを設けなくとも、停止時においてホールド操作手段の操作により電源オフ操作を行なうことができ、従って無駄な電力消費を防止できるという効果があり、特に充電池や乾電池を電源として用いる場合では電池の長寿命化を実現できる。
そして、ホールドキーがオフのときは、専用の電源操作キーを設けないことで機器の小型化、低コスト化を実現でき、所定の操作手段の１回の操作で電源オン及び動作が実行されるようにすることで、電源オフ状態から動作実行までをワンタッチ操作とすることができ、操作性の向上を実現できる。
【図面の簡単な説明】
【図１】本発明の電子機器の実施例の要部のブロック図である。
【図２】実施例の操作に対応する処理のフローチャートである。
【符号の説明】
１  電源部
２  ＤＣ−ＤＣコンバータ
２ａ  スイッチ
３  回路ブロック
４  メカデッキ部
５  コントローラ
６  再生キー
７  ＦＦキー
８  ＲＥＷキー
９  停止キー
１０  ホールドキー
【図１】
0003678770.tif 000002
【図２】
0003678770.tif 000003